(57)【要約】【課題】  道路を舗装する際に、ダンプトラックからホッパ内に投入された舗装材を円滑且つ定量的に後方側のコンベア上に給送することができる給送装置を提供する。【解決手段】  ホッパ１の後部内に回転掻き上げ板２を中央にして両側回転螺旋羽根３、３を配設すると共に、前部側にホッパ１に投入された舗装材Ｄを上記掻き上げ板２と両側回転螺旋羽根３、３に送り込む押込み板４を前後往復移動自在に配設し、この押込み板４によって舗装材Ｄを定量的に掻き上げ板２と両側回転螺旋羽根３、３に送り込み、両側回転螺旋羽根３、３によって舗装材Ｄを掻き上げ板２側に掻き寄せて掻き上げ板２により一定量ずつ、後方に配設しているコンベアＣの搬送始端部上に給送するように構成している。【選択図】    図１
2005083035.tif 000002
【特許請求の範囲】
【請求項１】
ダンプカー、トラックミキサ等の舗装材運搬車両から舗装材を受入れるホッパを有する道路機械において、該ホッパ底部に舗装材をコンベヤ始端部に送込む押込み板を前後往復動自在に配置していることを特徴とする舗装材の給送装置。
【請求項２】
押込み板はホッパ底板より下方に配置され、押込み板自体その上側に搬送プレートを有し、その上部に堆積した舗装材を送り込むようにすると共にその前方に配置された油圧シリンダにより往復動することを特徴とする請求項１に記載の舗装材の給送装置。
【請求項３】
押込み板とコンベヤ始端部との間に、側方の舗装材を内側方に掻き寄せる回転螺旋羽根と舗装材をコンベヤ上に積上げる掻き上げ板を同軸に設けてあることを特徴とする請求項１又は請求項２に記載の舗装材の給送装置。
【発明の詳細な説明】
【技術分野】
【０００１】
本発明は道路を舗装する際に、ダンプトラック等から投入されたアスファルト合材やコンクリート等の舗装材を定量的にコンベヤ等に送り出す舗装材の給送装置に関するものである。
【背景技術】
【０００２】
従来から、コンクリート舗装やアスファルト舗装を行う際には、コンクリートやアスファルト合材等の舗装材を舗装機に供給する必要がある。しかし、例えば、アスファルト舗装においては、アスファルト合材を搬送するダンプカーのリヤーバンパがホッパ底部の上面まで来るので、その高さは制限を受ける。このような舗装材供給手段としては、例えば、アスファルト舗装機においては、コンベヤは構造上ホッパ部まで伸びない。そのため、ダンプカーから受入れホッパに投入されたアスファルト合材は合材自体の山積み傾斜角、ホッパ底板傾斜角及びホッパ全体をコンベヤ側に傾けることにより登坂型コンベヤに送り込まれる。（例えば、特許文献１参照）。
【０００３】
【特許文献１】特開２０００−１９２４１８号公報（第２〜４頁、第１、２図）。
【発明の開示】
【発明が解決しようとする課題】
【０００４】
しかしながら、上記のような舗装材供給手段によれば、コンベヤの搬送始端部が配設されている受入れホッパの底部は平坦な若しくは僅かに傾斜した底板になっているため、ダンプカーからこの受入れホッパ内に舗装材が投入された時に、ホッパ底部に堆積した舗装材は堆積山の傾斜角だけではコンベヤ入口まで送り込まれないので、一旦、ダンプカーを遠ざけホッパ全体を持上げる等の搬送を遅らせる追加作業を強いることとなる。
【０００５】
このような問題点は、ホッパを持上げることなくホッパ底部に堆積した舗装材をコンベヤ始端部まで給送されれば解決しうるものである。
【０００６】
本発明はこのような問題点に鑑みてなされたもので、その目的とするところは、ホッパ底部の高さを従来機の高さと同等高さを維持しつつ、ホッパ底部に堆積した舗装材をコンベヤ始端部に送込む給送装置を提供するにある。
【課題を解決するための手段】
【０００７】
上記目的を達成するために、本発明の舗装材の給送装置は、請求項１に記載したように、ホッパの後部中央にホッパ底部に堆積している舗装材を後方のコンベヤ始端部に向かって送込む押込み板を前後往復動自在に配設してなる構造としている。
【０００８】
このように構成した舗装材の給送装置において、請求項２に係る発明は、押込み板はホッパ底面板より低く配設し、押付け面及びその上面に搬送プレートを装着することによりホッパ底面に堆積した舗装材を効率よくコンベヤ始端部に搬送すると共に、押込み板構造と路面との隙間と共に強い押し力を得るために油圧シリンダを押込み板に対向して配設し往復動の動力として用いる構造としている。
【０００９】
さらに、請求項３に係る発明は、このように構成した舗装材給送装置において、押込み板で送込んだ舗装材を確実にそしてより多くコンベヤに乗せるためにホッパの後方中央に舗装材を後方に送出す掻き上げ板を配設している共に、この掻き上げ板に向かって内側方に掻き寄せる回転螺旋羽根を設けてある構造としている。
【発明の効果】
【００１０】
本発明の舗装材の給送装置によれば、請求項１に記載したように、ホッパの前部底面上にホッパ内に投入された舗装材をコンベヤに向かって後方に送り込む押込み板を前後往復動自在に配設しているので、多量の舗装材を受け入れて能率よく後方に給送することができる。
【００１１】
また、請求項２に係る発明によれば、上記押し込み板の上部に舗装材を搬送する搬送プレートが配設されてあり、その中に油圧シリンダを取付け、その油圧シリンダにより往復動させている。
【００１２】
請求項３に係る発明によれば、上記ホッパの後部の上端に上記掻き上げ板と両側回転螺旋羽根を配設しているので、コンベヤへの舗装材の投入が容易に且つ円滑に行うことができる。
【発明を実施するための最良の形態】
【００１３】
次に、本発明の実施の形態を図面について説明すると、アスファルト合材や生コンクリート等の舗装材の給送装置Ａは、図１に示すように、舗装材を後方の道路舗装面に搬送するためのコンベヤＣを備えた舗装用機械Ｂの前端に配設されてあり、底面（内底面）が平坦な面に形成されている平面矩形状の底面板1aを有するホッパ１と、このホッパ１内における後部中央に回転自在に配設されている掻き上げ板２と、この掻き上げ板２の両側方に回転自在に配設されて掻き上げ板２の両外側端に向かってそれぞれ舗装材Ｄを掻き寄せる回転螺旋羽根３、３（図２、図３に示す）と、ホッパ１の前部底面1a下に前後往復動自在に配設されて舗装材Ｄを上記掻き上げ板２に向かって送り込む押込み板４とを備えてなるものである。
【００１４】
ホッパ１は図２〜４に示すように、上記掻き上げ板２と両側回転螺旋羽根３、３とを配設している後部が前部側よりもその前後幅が狭く且つ両側端間の幅がやや広い平面横長長方形状に形成されていると共に、後面板1bの下端と後述する底面部13の後端との連設部分を斜め下方に向かって後方に凸円弧状に湾曲した湾曲面部1a' に形成している。
【００１５】
両側回転螺旋羽根３、３の両外側方は、底面板1aの後部両側端及び後面板1bの両側端と一体に接続している側面板1e、1eによって閉止されてあり、さらに、底面板1aの両側端には両側板を設けることなく、底面板1a上に向かって連通した補助ホッパ６、６が起伏回動自在に配設されていると共に、ホッパ１の前端は前方に向かって開口してあり、且つ、該ホッパ１の前部上端を全面的に開口させて舗装材の投入口11に形成している。
【００１６】
上記補助ホッパ６、６は底面板6aの後端と外側端とに後面板6bと側面板6cとの下端をそれぞれ一体に連設してなる構造を有し、底面板6aの内側端を底面板1aの両側端に起伏回動自在に枢着して起立させた状態においてはそのホッパ６の内側端を上記ホッパ１に全面的に連通させてこれらのホッパ１と補助ホッパ６とにより上記掻き上げ板２と両側回転螺旋羽根３、３とを配設している後部よりも幅広いホッパを形成するように構成している。
【００１７】
この補助ホッパ６、６を起伏自在に回動させる機構としては、図３に示すように、ホッパ１の底面板1aの両側端から垂設している支持突片10の下端部とこれらの補助ホッパ６、６の底面板6aの外側端部とを油圧シリンダ７、７によって連結し、この油圧シリンダ７、７のロッドを伸縮させることによって伸長時には上記ホッパ１の底面板1aとの枢着部を支点として内側方、即ち、ホッパ１側に向かって伏動させ、収縮させることによって外側方に回動させて起立させるようにしている。
【００１８】
ホッパ１内における後部中央に回転自在に配設されている上記掻き上げ板２は、両側面板1e、1eに両端部を回転自在に軸支されている回転中心軸８の長さ方向の中央部に固着されて回転中心軸８と一体に回転するように構成されている。詳しくは、回転中心軸８の中央部に一定長さを有する複数本のアーム部材2bを放射状に突設し、各アーム部材2bの先端部に横長長方形状の掻き上げ板部2aを固着してなり、回転中心軸８を回転させることによってこれらの掻き上げ板部2aの先端縁を底面部13の後端部から後面板1bの下端にかけて形成している上記湾曲面部1a' の内面に接して或いは極めて接近させた状態にして該湾曲面部1a' に沿って前方側に移動させ、舗装材Ｄを掻き上げるように構成している。
【００１９】
さらに、後面板1bの幅方向の中央部を、横幅が上記掻き上げ板２の幅と同等ないしはやや幅狭く且つ縦幅が回転中心軸８の下周面と掻き上げ板２の上端間に対応する幅でもって矩形状に切欠くことにより、上記掻き上げ板２から舗装材Ｄを後方に送り出す給送口９に形成している。
【００２０】
また、上記両側回転螺旋羽根３、３は掻き上げ板２を中央にして上記回転中心軸８の両側部に一体に固着されてあり、これらの回転螺旋羽根３、３の外径を上記掻き上げ板２の外径に略等しくして上記湾曲面部1a' の内面に接して或いは極めて接近した状態で回転中心軸８の回転によって掻き上げ板２と一体的に回転させるようにしていると共に、その回転によって舗装材Ｄを外側から内側、即ち、中央の掻き上げ板２に向かって掻き寄せることができるようにこれらの両側回転螺旋羽根３、３の螺旋方向を互いに逆向きに形成している。なお、上記回転中心軸８を回転させるモータ12は一側面板1eに装着されている。
【００２１】
これらの掻き上げ板２と両側回転螺旋羽根３、３に舗装材Ｄを送り込む押込み板４は、その横幅が底面板1aの両側端間の幅に等しい正面横長帯板形状に形成されてあり、その下端縁を底面部13上に接してこの底面部13上で前後動自在に配設している。そして、この底面部13の後端は上記湾曲面部1a' の下端に連続している。
【００２２】
この押込み板４を前後動させる機構としては、ホッパ１の前端から長さ方向の中程に達する部分まで底面板1aから下方に小間隔を存して該底面板1aと平行な下部底面板13' を設けてこれらの底面板1aと下部底面板13' との間の空間部を両側油圧シリンダ14、14の配設室15に形成している。そして、このシリンダ配設室15内の両側部に上記油圧シリンダ14、14をそのピストンロッド14a を後方に向けた状態で固定し、該ピストンロッド14ａの先端（後端）を上記押込み板４の前面両側部に固着して、ピストンロッド14ａを最大限まで伸長させた状態においては該押込み板４をシリンダ配設室15の開口端における上記下部底面板13' から後方に向かって該下部底面板13' を延長する方向に水平に設けている上記底面部13上に沿って上記掻き上げ板２近くに達する位置まで往動させ、ピストンロッド14ａを収縮させた状態にいては該押込み板４を配設室15の後端開口部を閉止する位置まで復動させるように構成している。
【００２３】
さらに、この押込み板４の上端には上記ホッパ底面1aの下面に接して押込み板４と一体に前後方向に往復動する平面矩形状の搬送プレート16の後端を一体に固着している。この搬送プレート16は押込み板４と同一横幅を有しかつ前後方向の長さは押込み板４が上記掻き上げ板２の前端側に達するまで往動した時にその前端部がホッパ底面1aの後端部下面に接した長さ、即ち、ホッパ底面1aから離脱しない長さに形成されている。なお、上記底面部13は図１に示すように、下方に向かって開閉自在に構成されていて洗浄、点検や修理が行えるようにしている。
【００２４】
このように構成した給送装置Ａにおける上記底面板13の前端部側部には支持ローラ17が回転自在に軸支されていると共に、後部における両側面板1e、1eに後方に向かってブラケット18を突設し、このブラケット18を舗装用機械Ｂの前端両側部に上下方向に回動自在に枢着20してあり、さらに、ブラケット18の後部上端と舗装用機械Ｂの前端部間を油圧シリンダ19によって連結して、該油圧シリンダ19のピストンロッド19a を収縮させることにより上記枢着部20を支点として給送装置Ａを上方に起立させ、ピストンロッド19ａを伸長させることにより、給送装置Ａを路面上に設置させるように構成している。また、舗装用機械Ｂに配設しているコンベヤＣの搬送始端部を後面板1bの中央部に開設している上記給送口９の後方下部に臨ませている。なお、このコンベヤＣの幅は上記掻き上げ板２の幅と同一幅又はやや広幅に形成している。
【００２５】
このように構成したので、舗装作業を行う際に、給送装置Ａを路面上に設置した状態にしてダンプトラック（図示せず）から給送装置Ａの投入口11を通じて該給送装置Ａ内に投入し、このホッパ１の内底面上、即ち、底面部13とホッパ底面1a上の平坦な底面上に堆積させる。
【００２６】
次いで、ホッパ１の上記ホッパ底面1aの下方に形成したシリンダ配設室15内に配設している油圧シリンダ14、14のピストンロッド14ａを伸長させると、押込み板４が後方に押し進められてその後面でホッパ１の底面部13上に堆積している舗装材Ｄを後方に向かって押し動かし、回転中心軸８の中央部から放射状に突設している複数の掻き上げ板２とこの掻き上げ板２の両側に配設している回転螺旋羽根３、３に舗装材Ｄを供給する。掻き上げ板２が無い場合は、直接コンベヤ始端部まで送り込まれる。
【００２７】
各掻き上げ板２のアーム部材2bと両側回転螺旋羽根３、３とは共通する回転中心軸８に固着されていてこの回転中心軸８を回転させることにより一体的に回転し、従って、掻き上げ板２側に供給された舗装材Ｄは、該掻き上げ板２の回転によってアーム部材2bの先端部に固着している掻き上げ板部2a上に円滑に受止された状態で上方に掻き上げられ、上端から下方に向かって後方に回転する際に掻き上げ板部2aから離脱して斜め後方に開口している給送口９からコンベヤＣの搬送始端部上に投下、移載させられ、このコンベヤＣによって後方の舗装施工側に搬送される。
【００２８】
また、掻き上げ板２の両側の回転螺旋羽根３、３に送り込まれた舗装材Ｄは、これらの回転螺旋羽根３、３の回転によって掻き上げ板２に向かって掻き寄せられ、回転螺旋羽根３、３と一体に回転している掻き上げ板２の各掻き上げ板部2aに送り込まれて上記同様に掻き上げられ、給送口９を通じてコンベヤＣの搬送始端部上に投下、移載させられる。
【００２９】
一方、上記押込み板４によって底面部13上に堆積している舗装材Ｄを掻き上げ板２に向かって押し進める時に、該押込み板４の上端から前方に向かって水平に屈折している搬送プレート16がシリンダ配設室15から後方に引き出され、その上面で押込み板４から上方に堆積している舗装材Ｄを受止すると共に後方への水平移動に従って一体に移動する該搬送プレート16上に堆積している舗装材Ｄを後方の底面部13上に送り込む。と同時に、ホッパ底面1a下部から後方に出た搬送プレート16上にホッパ底面1aに堆積した舗装材Ｄが逐次落ち込み、油圧シリンダ14が最大限伸長するまでには該搬送プレート16上には舗装材Ｄに堆積された塊ができあがっている。そして、この状態から油圧シリンダ14、14のピストンロッド14ａを収縮させて押込み板４を元の位置まで復動させると、それまで搬送プレート16によって受止されていた上記舗装材Ｄが底面部13上に落下することになる。
【００３０】
しかるのち、再び、油圧シリンダ14、14のピストンロッド14ａを伸長させることによって押込み板４を後方に向かって往復させ、上記同様に舗装材Ｄを掻き上げ板２と両側の回転螺旋羽根３、３に供給し、各掻き上げ板２の掻き上げ板部2aの回転によって給送口９から順次、舗装材ＤをコンベヤＣの搬送始端部に投下、移載する。
【００３１】
この際、給送口９の横幅を掻き上げ板２の幅と同等ないしはやや幅狭く形成していると共に、コンベヤＣの幅を上記掻き上げ板２の幅と同一幅又はやや広幅に形成しており、且つ、給送口９の高さが制限されているため、掻き上げ板２に送り込まれた舗装材Ｄ全量が一時に送り込まれることなく、次の開口面積に合った舗装材Ｄの送り量が各掻き上げ板２から投下されるので、給送口９を通じてコンベヤＣの搬送始端部上に投下された舗装材Ｄは、コンベヤＣ上からこぼれ落ちることなくほぼ均一に搬送される。なお、上記送り出した後もホッパ１内のホッパ底面1a上に堆積している舗装材Ｄが残存する場合には、油圧シリンダ19のピストンロッド19ａを収縮させることによって給送装置Ａをその前端から後端に向かって斜め下方に傾斜させた状態にしてホッパ底面1a上の舗装材Ｄを底面部13側に移動させればよい。
【００３２】
なお、ダンプトラックを接車させるために補助ホッパ６、６を展開させてホッパ１の容積を大きくし、これらのホッパ１、６内にダンプトラックから多量の舗装材Ｄを投入、堆積させた状態で上記のように押込み板４を往復動させることによって舗装材Ｄを掻き上げ板２側に送る際には、底面部13やホッパ底面1a上の舗装材Ｄの量が減少した時に油圧シリンダ７、７によって補助ホッパ６、６を起立する方向に回動させ、これらの補助ホッパ６、６内の舗装材Ｄをホッパ１の底面部13上やホッパ底面1a上に送り込めばよい。
【００３３】
こうして、給送装置Ａのホッパ１内から舗装用機械Ｂ側のコンベヤＣ上に送り込まれた舗装材Ｄは、舗装用機械Ｂがアスファルトフィニッシャ等の舗装機である場合には、該舗装材Ｄを舗装すべき路面上に投下し、この舗装機に備えているスプレッダによって路幅方向に広げたのちスクリードにより敷き均すものであり、舗装用機械Ｂが図５に示すように、後方のコンクリート打設面まで生コンクリートよりなる舗装材を送り込む折り畳み式のコンベヤC1を備えてなる機械の場合には、このコンアC1の下方空間部で舗装のための配筋作業を行うものであり、いずれの舗装用機械Ｂにも上記給送装置Ａを使用することができる。
【図面の簡単な説明】
【００３４】
【図１】舗装用機械に配設している給送装置の簡略縦断側面図である。
【図２】給送装置の一部切欠簡略平面図である。
【図３】給送装置の後面板を省略した状態の背面図である。
【図４】押込み板を往動させた状態の簡略縦断側面図である。
【図５】給送装置を備えた別な機械を示す簡略側面図である。
【符号の説明】
【００３５】
Ａ  給送装置
Ｂ  舗装用機械
Ｃ  コンベヤ
Ｄ  舗装材
１  ホッパ
２  掻き上げ板
３  回転螺旋羽根
４  押込み板
９  給送口
16  搬送プレート
【図１】
2005083035.tif 000003
【図２】
2005083035.tif 000004
【図３】
2005083035.tif 000005
【図４】
2005083035.tif 000006
【図５】
2005083035.tif 000007